(57)【要約】【課題】給水口と吐出口とが設けられたケーシングを備えるポンプにおいて、ケーシングの変形を抑制する。【解決手段】給水口形成面３０に給水口８が設けられ、吐出口形成面２８αに吐出口９が設けられたケーシング３と、モータ部取り付け方向側からケーシング３に取り付けられ、ケーシング３内において給水口８から吐出口９に向かう流れを作るモータ部７と、を備え、吐出口形成面２８αには張り出し部２６ａが形成され、張り出し部２６ａは、吐出口形成面２８αにおける吐出口９の根元部分９ｂの少なくとも一部に至るように形成されているとともに、モータ部取り付け方向における長さがモータ部取り付け方向におけるケーシング３の長さと同じ長さとなるように形成されているポンプ１。【選択図】図２
2019157701.tif 000002
【特許請求の範囲】
【請求項１】
給水口形成面に給水口が設けられ、前記給水口形成面に対する側面である吐出口形成面に吐出口が設けられたケーシングと、
前記給水口形成面とは反対側のモータ部取り付け方向側から前記ケーシングに取り付けられ、前記ケーシング内において前記給水口から前記吐出口に向かう流れを作るモータ部と、を備え、
前記吐出口形成面には、前記吐出口形成面から突出する方向に張り出した張り出し部が形成され、
前記張り出し部は、前記吐出口形成面における前記吐出口の根元部分の少なくとも一部に至るように形成されているとともに、前記モータ部取り付け方向における長さが前記モータ部取り付け方向における前記ケーシングの長さと同じ長さとなるように形成されていることを特徴とするポンプ。
【請求項２】
請求項１に記載のポンプにおいて、
前記ケーシングは、前記モータ部取り付け方向から見て略矩形であり、
前記吐出口形成面以外の前記給水口形成面に対する側面に、肉厚部が形成されていることを特徴とするポンプ。
【請求項３】
請求項１または２に記載のポンプにおいて、
前記給水口形成面における前記モータ部取り付け方向とは反対側には、前記給水口の根元部分から放射状に形成された複数の第１リブと、給水口の中心を中心とした円弧状に形成された第２リブと、前記給水口形成面に対する側面の少なくとも一部に沿って形成される第３リブと、が形成されていることを特徴とするポンプ。
【請求項４】
請求項３に記載のポンプにおいて、
前記ケーシングに対して前記モータ部取り付け方向側とは反対側から取り付けられる補強板を備え、
前記補強板は、前記第１リブ、前記第２リブ及び前記第３リブに載置されていることを特徴とするポンプ。
【請求項５】
請求項３または４に記載のポンプにおいて、
前記第１リブは、外側から前記給水口の根元部分に向かって前記モータ部取り付け方向とは反対側に立ち上がる立ち上がり部を有することを特徴とするポンプ。
【請求項６】
請求項３から５のいずれか１項に記載のポンプにおいて、
前記吐出口の外周部分に、前記第１リブ、前記第２リブ及び前記第３リブよりも幅広の第４リブが形成されていることを特徴とするポンプ。
【請求項７】
請求項３から６のいずれか１項に記載のポンプにおいて、
前記第１リブは、前記ケーシングを成形する際の材料投入口及び前記材料投入口から導入された材料同士が交わる部分のうちの少なくともいずれかの位置に形成されていることを特徴とするポンプ。
【請求項８】
請求項７に記載のポンプにおいて、
前記ケーシングと前記モータ部との固定部の形成位置に、前記材料同士が交わる部分が形成されていることを特徴とするポンプ。
【発明の詳細な説明】
【技術分野】
【０００１】
本発明は、ポンプに関する。
【背景技術】
【０００２】
従来から、様々なポンプが使用されている。このようなポンプのうち、給水口と吐出口とが設けられたケーシングを備えているポンプがある。  
また、ポンプは様々な使用条件で使用されるので、従来からポンプの強度を高くするために様々な技術を採用している。例えば、特許文献１には、ケーシングの上側に補強板を配置するとともに、該ケーシングの上面にリブが形成されているポンプが開示されている。
【先行技術文献】
【特許文献】
【０００３】
【特許文献１】特開２０１４−１７７８８１号公報
【発明の概要】
【発明が解決しようとする課題】
【０００４】
しかしながら、例えば減圧器を備えない場合、水栓の急な開閉によりいわゆるウォーターハンマー現象が発生し、ポンプのポンプ室内に高い圧力が加わってしまい、ポンプ、特にケーシングが変形してしまったり破損してしまう場合がある。  
そして、単純にケーシングの上側に補強板を配置したり、単純にケーシングの上面にリブを形成したりするだけでは、吐出口の形成部分の変形を抑制しきれない場合がある。
【０００５】
そこで、本発明の目的は、給水口と吐出口とが設けられたケーシングを備えるポンプにおいて、ケーシングの変形を抑制することである。
【課題を解決するための手段】
【０００６】
本発明の第１の態様に係るポンプは、給水口形成面に給水口が設けられ、前記給水口形成面に対する側面である吐出口形成面に吐出口が設けられたケーシングと、前記給水口形成面とは反対側のモータ部取り付け方向側から前記ケーシングに取り付けられ、前記ケーシング内において前記給水口から前記吐出口に向かう流れを作るモータ部と、を備え、前記吐出口形成面には、前記吐出口形成面から突出する方向に張り出した張り出し部が形成され、前記張り出し部は、前記吐出口形成面における前記吐出口の根元部分の少なくとも一部に至るように形成されているとともに、前記モータ部取り付け方向における長さが前記モータ部取り付け方向における前記ケーシングの長さと同じ長さとなるように形成されていることを特徴とする。
【０００７】
本態様によれば、吐出口形成面に張り出し部が形成され、張り出し部は、吐出口形成面における吐出口の根元部分の少なくとも一部に至るように形成されているとともに、モータ部取り付け方向における長さがモータ部取り付け方向におけるケーシングの長さと同じ長さとなるように形成されている。すなわち、ケーシングの厚さ（吐出口形成面の長さ）一杯に形成されることで頑丈となる張り出し部により、強い圧力がかかり変形しやすい吐出口の根元部分が補強される。このため、ケーシングの変形を抑制できる。
【０００８】
本発明の第２の態様に係るポンプは、前記第１の態様において、前記ケーシングは、前記モータ部取り付け方向から見て略矩形であり、前記吐出口形成面以外の前記給水口形成面に対する側面に、肉厚部が形成されていることを特徴とする。
【０００９】
本態様のケーシングは、モータ部取り付け方向から見て略矩形であり、吐出口形成面以外の給水口形成面に対する側面に肉厚部が形成されている。すなわち、吐出口形成面を張り出し部で補強しているだけでなく、吐出口形成面以外の給水口形成面に対する側面を肉厚部で補強している。このため、効果的にケーシングの変形を抑制できる。
【００１０】
本発明の第３の態様に係るポンプは、前記第１または第２の態様において、前記給水口形成面における前記モータ部取り付け方向とは反対側には、前記給水口の根元部分から放射状に形成された複数の第１リブと、給水口の中心を中心とした円弧状に形成された第２リブと、前記給水口形成面に対する側面の少なくとも一部に沿って形成される第３リブと、が形成されていることを特徴とする。
【００１１】
本態様によれば、放射状の第１リブと、円弧状の第２リブと、給水口形成面に対する側面に沿う第３リブと、を有する。すなわち、吐出口形成面を張り出し部で補強しているだけでなく、第１リブ、第２リブ及び第３リブによりケーシングを補強している。このため、効果的にケーシングの変形を抑制できる。
【００１２】
本発明の第４の態様に係るポンプは、前記第３の態様において、前記ケーシングに対して前記モータ部取り付け方向側とは反対側から取り付けられる補強板を備え、前記補強板は、前記第１リブ、前記第２リブ及び前記第３リブに載置されていることを特徴とする。
【００１３】
本態様によれば、第１リブ、第２リブ及び第３リブに載置されている補強板を備える。すなわち、該補強板によってもケーシングを補強している。このため、特に効果的にケーシングの変形を抑制できる。
【００１４】
本発明の第５の態様に係るポンプは、前記第３または第４の態様において、前記第１リブは、外側から前記給水口の根元部分に向かって前記モータ部取り付け方向とは反対側に立ち上がる立ち上がり部を有することを特徴とする。
【００１５】
本態様によれば、第１リブは、外側から給水口の根元部分に向かって立ち上がる立ち上がり部を有する。立ち上がり部を有することで、第１リブの給水口の根元部分における補強効果は高くなるので、効果的にケーシングの変形を抑制できる。
【００１６】
本発明の第６の態様に係るポンプは、前記第３から第５のいずれか１つの態様において、前記吐出口の外周部分に、前記第１リブ、前記第２リブ及び前記第３リブよりも幅広の第４リブが形成されていることを特徴とする。
【００１７】
本態様によれば、吐出口の外周部分に第１リブ、第２リブ及び第３リブよりも幅広の第４リブが形成されているので、該第４リブによりさらに吐出口の根元部分が補強され、効果的にケーシングの変形を抑制できる。
【００１８】
本発明の第７の態様に係るポンプは、前記第３から第６のいずれか１つの態様において、前記第１リブは、前記ケーシングを成形する際の材料投入口及び前記材料投入口から導入された材料同士が交わる部分のうちの少なくともいずれかの位置に形成されていることを特徴とする。
【００１９】
一般的に、ケーシングを成形する際の材料投入口（所謂ゲート）や、材料投入口から導入された材料同士が交わる部分（所謂ウェルドライン）は、変形しやすい傾向がある。しかしながら、本態様によれば、第１リブは、材料投入口及び該材料投入口から導入された材料同士が交わる部分のうちの少なくともいずれかの位置に形成されているので、変形しやすい部分を第１リブで補強できる。このため、効果的にケーシングの変形を抑制できる。
【００２０】
本発明の第８の態様に係るポンプは、前記第７の態様において、前記ケーシングと前記モータ部との固定部の形成位置に、前記材料同士が交わる部分が形成されていることを特徴とする。
【００２１】
本態様によれば、ケーシングとモータ部との固定部の形成位置に材料同士が交わる部分が形成されているが、該固定部の形成位置を第１リブで補強できる。
【発明の効果】
【００２２】
本発明のポンプは、給水口と吐出口とが設けられたケーシングを備える構成において、ケーシングの変形を抑制することができる。
【図面の簡単な説明】
【００２３】
【図１】本発明の一実施例に係るポンプを表す概略斜視図である。
【図２】図１で表されるポンプから補強板を外した状態を表す概略斜視図である。
【図３】図２で表されるポンプからケーシングを外した状態を表す概略斜視図である。
【図４】図３で表されるポンプから隔壁部材を外した状態を表す概略斜視図である。
【図５】図４で表されるポンプから回転子及びモータ部ケーシングを外した状態を表す概略斜視図である。
【図６】本発明の一実施例に係るポンプを表す概略側面断面図である。
【図７】本発明の一実施例に係るポンプのケーシングを表す概略斜視図である。
【図８】本発明の一実施例に係るポンプのケーシングを表す概略斜視図である。
【図９】本発明の一実施例に係るポンプのケーシングを表す概略斜視図である。
【発明を実施するための形態】
【００２４】
以下に、本発明の一実施例に係るポンプ１について説明する。  
ここで、図１は、本実施例のポンプ１を表す概略斜視図である。また、図２は、図１で表されるポンプ１から補強板２を外した状態を表す概略斜視図である。また、図３は、図２で表されるポンプ１からケーシング３を外した状態を表す概略斜視図である。また、図４は、図３で表されるポンプ１から隔壁部材４及びモータ部ケーシング６を外した状態を表す概略斜視図である。また、図５は、図４で表されるポンプ１から回転子５を外した状態を表す概略斜視図である。そして、図６は、本実施例のポンプ１を表す概略側面断面図である。  
ここで、図中のＸ方向は水平方向であり、Ｙ方向は水平方向であってＸ方向と直交する方向であり、Ｚ方向は鉛直方向である。また、以下においては、矢印方向を＋方向、矢印方向と反対方向を−方向とする。例えば、鉛直上方向は＋Ｚ方向、鉛直下方向は−Ｚ方向とする。
【００２５】
（ポンプ１の概要）  
最初に、本実施例のポンプ１の概要について説明する。  
図１で表されるように、本実施例のポンプ１は、金属製の補強板２と、樹脂製のケーシング３と、樹脂製の隔壁部材４と、樹脂製の回転子５（図４参照）を回転させるモータ部７とを備えている。ケーシング３には、給水口８と、吐出口９とが設けられている。そして、給水口８及び吐出口９に水などの流体を流す管などを繋ぎ、モータ部７を駆動させる（回転子５を回転させる）ことにより、流体を、給水口８からケーシング３と隔壁部材４とで囲まれるポンプ室３３（図６参照）に供給するとともに該ポンプ室３３から吐出口９を介して吐出させることが可能な構成になっている。ここで、ポンプ室３３は、図６で表されるように、図９で表されるケーシング３の内部と、隔壁部材４における円柱状の凹部４ｂ（図６参照）の内側部分と、で構成される領域である。なお、本実施例のポンプ１の具体的な配置に特に限定はないが、上位装置（本実施例のポンプ１の取り付け位置）に対して、吐出口９が上側となるように配置されることが一般的である。
【００２６】
なお、図４及び図６で表されるように、回転子５は羽根部５ａと該羽根部５ａの下側（−Ｚ方向側）に形成される円筒形状部５ｂとを有しており、円筒形状部５ｂが隔壁部材４の内部（隔壁部材４における円柱状の凹部４ｂ）に収められるように配置される。そして、ケーシング３と隔壁部材４の上面部４ａとの間には、図３で表されるように、該間から流体が漏れ出すことや外部からの異物の侵入を抑制するためにリング状のシール部材１２が配置されている。
【００２７】
ここで、上記のように、本実施例のポンプ１においては、補強板２は金属製であり、ケーシング３や隔壁部材４などは樹脂製である。補強板２を金属製とすることで補強効果を高めることができ、ケーシング３や隔壁部材４を樹脂製とすることでケーシング３や隔壁部材４の製造を容易にすることができるが、補強板２、ケーシング３及び隔壁部材４などの素材に特に限定はない。
【００２８】
また、本実施例のポンプ１には設けられていないが、ケーシング３に排水栓部を形成し、ポンプの不使用時などにおいて該排水栓部から栓を外すことで、ポンプ室３３にある流体を該排水栓部を介して排出することが可能な構成としてもよい。
【００２９】
（モータ部７）  
次に、モータ部７について説明する。  
図４から図６で表されるように、モータ部７は、ロータ１３と、ステータ１４と、モータ部７を制御するための回路基板１５とを備えている。ここで、回転子５、ロータ１３、ステータ１４および回路基板１５は、モータ部７の一部を構成するモータ部ケーシング６の内部に配置されている。図１で表されるように、補強板２、ケーシング３、隔壁部材４及びモータ部ケーシング６は、ネジ１６及びナット１７によって互いに固定されている。
【００３０】
ロータ１３は、図５及び図６で表されるように駆動用磁石１８と円筒状のスリーブ１９とを備え、また、図４及び図６で表されるように駆動用磁石１８およびスリーブ１９を保持する円筒形状部５ｂ（回転子５）を備えている。円筒形状部５ｂは、鍔付きの略円筒状に形成されている。図６で表されるように、駆動用磁石１８は、円筒形状部５ｂの外周側に固定され、スリーブ１９は、円筒形状部５ｂの内周側に固定されている。なお、円筒形状部５ｂの上側（＋Ｚ方向側）には、羽根部５ａが形成されている。すなわち、回転子５は、ロータ１３に取り付けられている。回転子５およびロータ１３は、ポンプ室３３（正確には、隔壁部材４の円柱状の凹部４ｂの内側）に配置されている。
【００３１】
ロータ１３は、図６で表されるように、Ｚ方向に沿う回転軸２０に回転可能に支持されている。すなわち、ロータ１３の軸方向は上下方向である。なお、回転軸２０は、スリーブ１９の内周側に挿通されている。
【００３２】
ステータ１４は、駆動用コイル２１と、ステータコア２２と、絶縁部材としてのインシュレータ２３とを備えており、全体として略円筒状に形成されている。ステータ１４は、隔壁部材４の円柱状の凹部４ｂを介して、ロータ１３の外周側に配置されている。すなわち、ロータ１３とステータ１４との間には隔壁部材４の円柱状の凹部４ｂが配置されている。また、ステータ１４は、ステータ１４の軸方向と上下方向（Ｚ方向）とが一致するように配置されている。
【００３３】
また、図４及び図５で表されるように、ステータ１４は、駆動用コイル２１の端部が絡げられて電気的に接続される複数の端子ピン２４を備えている。端子ピン２４は、端子ピン２４の長手方向と上下方向とが一致するように配置されている。すなわち、端子ピン２４は、上下方向（ロータ１３の軸方向）と平行に配置されている。
【００３４】
（ケーシング３）  
次に、本実施例のポンプ１の要部であるケーシング３について説明する。  
ここで、図７から図９は、何れも、本実施例のポンプ１のケーシング３を表す概略斜視図であり、夫々、異なる方向から見た斜視図である。
【００３５】
本実施例のケーシング３には、図７及び図８で表されるように、給水口８が設けられた給水口形成面３０に、上側（＋Ｚ方向）に突出する複数のリブ２５が形成されている。そして、給水口形成面３０に対する側面２８には、肉厚部２６が形成されている。本実施例のケーシング３は、図８で表されるように、平面視で（Ｚ方向に沿う方向から見て）略矩形をしており、その１辺に吐出口９が設けられている。肉厚部２６は４辺に対応する各側面２８に形成されているが、この側面２８のうちの吐出口９が設けられている吐出口形成面２８αの肉厚部２６は、側面２８のうちの他の側面２８βの肉厚部２６よりも、Ｚ方向に沿う方向において広い範囲に（Ｚ方向に沿う方向において長くなるように）設けられている。
【００３６】
すなわち、本実施例のポンプ１は、上記のように、給水口形成面３０に給水口８が設けられ、給水口形成面３０に対する側面２８である吐出口形成面２８αに吐出口９が設けられたケーシング３を備えている。また、図１及び図２などで表されるように、給水口形成面３０とは反対側のモータ部取り付け方向側（−Ｚ方向側）からケーシング３に取り付けられ、羽根部５ａを有する回転子５を有し、回転子５を回転させることでケーシング３内において給水口８から吐出口９に向かう流れを作るモータ部７を備えている。ここで、図７及び図８で表されるように、吐出口形成面２８αには、吐出口形成面２８αから突出する方向（＋Ｙ方向）に張り出した肉厚部２６（張り出し部２６ａ）が形成されている。
【００３７】
そして、張り出し部２６ａは、吐出口形成面２８αにおける吐出口９の根元部分９ｂの少なくとも一部に至るように形成されているとともに、モータ部取り付け方向における長さ（Ｚ方向に沿う方向における長さ）がモータ部取り付け方向におけるケーシング３の長さ（詳細には、吐出口形成面２８αの長さ）と同じ長さとなるように形成されている。すなわち、ケーシング３の厚さ（Ｚ方向に沿う方向における吐出口形成面２８αの長さ）一杯に形成されることで頑丈となっている張り出し部２６ａにより、強い圧力がかかり変形しやすい吐出口９の根元部分９ｂが補強されている。このため、本実施例のポンプ１は、ケーシング３の変形を抑制できる構成になっている。
【００３８】
ここで、本実施例のケーシング３は、ケーシング３の外側の側面２８に肉厚部２６を形成している構成であるが、ケーシング３の内側の側面に肉厚部を形成している構成としてもよい。さらには、ケーシング３の外側の側面２８とケーシング３の内側の側面との両方に肉厚部を形成している構成としてもよい。
【００３９】
また、本実施例のケーシング３は、図８で表されるように、モータ部取り付け方向から見て略矩形であり、吐出口形成面２８α以外の給水口形成面３０に対する側面２８βにも、肉厚部２６が形成されている。すなわち、吐出口形成面２８αを張り出し部２６ａで補強しているだけでなく、吐出口形成面２８α以外の給水口形成面３０に対する側面２８βを肉厚部２６で補強している。このため、本実施例のポンプ１は、効果的にケーシング３の変形を抑制できる構成になっている。
【００４０】
なお、給水口形成面３０に対する側面２８βの肉厚部２６も、張り出し部２６ａと同様、ケーシング３の厚さ一杯に形成されるものとしてもよいが、本実施例のように、ケーシング３の厚さ未満とすることで、ケーシング３の材料費を低減できる。
【００４１】
また、本実施例のケーシング３は、図８などで表されるように、給水口形成面３０における上側（モータ部取り付け方向とは反対側）に、リブ２５として、給水口８の根元部分３５から放射状に形成された複数の第１リブ２５ａと、給水口８の中心を中心とした円弧状に形成された第２リブ２５ｂと、給水口形成面３０に対する側面２８の少なくとも一部に沿って形成される第３リブ２５ｃと、が形成されている。すなわち、本実施例のケーシング３は、放射状の第１リブ２５ａと、円弧状の第２リブ２５ｂと、給水口形成面３０に対する側面２８に沿う第３リブ２５ｃと、を有する。すなわち、吐出口形成面２８αを張り出し部２６ａで補強しているだけでなく、第１リブ２５ａ、第２リブ２５ｂ及び第３リブ２５ｃによりケーシング３を補強している。このため、本実施例のポンプ１は、効果的にケーシング３の変形を抑制できる構成になっている。  
なお、「円弧状」とは、真円の円弧に対応する形状のほか、楕円の円弧に対応する形状も含む意味である。
【００４２】
また、図１で表されるように、本実施例のポンプ１は、ケーシング３に対してモータ部取り付け方向側とは反対側から取り付けられる補強板２を備えているが、該補強板２は、第１リブ２５ａ、第２リブ２５ｂ及び第３リブ２５ｃに載置されている。すなわち、本実施例のポンプ１は、該補強板２によってもケーシング３を補強している。このため、このため、本実施例のポンプ１は、特に効果的にケーシング３の変形を抑制できる構成になっている。
【００４３】
また、本実施例のケーシング３は、図７などで表されるように、第１リブ２５ａが、外側から給水口８の根元部分３５に向かって、モータ部取り付け方向とは反対側（＋Ｚ方向側）に立ち上がる立ち上がり部３４を有する構成となっている。このように、立ち上がり部３４を有することで、第１リブ２５ａの給水口８の根元部分３５における補強効果は高くなっており、効果的にケーシング３の変形を抑制できるようになっている。
【００４４】
ここで、本実施例のケーシング３は、図９などで表されるように、ケーシング内（ポンプ室３３）に、給水口８に繋がる孔部８ａ、吐出口９に繋がる孔部９ａ、を備えている。そして、給水口８から孔部８ａまでで流体の給水経路、孔部９ａから吐出口９までで流体の吐出経路を構成している。
【００４５】
そして、本実施例のケーシング３は、図８などで表されるように、流体の吐出経路である吐出口９の外周部分（根元部分９ｂ）に、第１リブ２５ａ、第２リブ２５ｂ及び第３リブ２５ｃよりも幅広（短手方向の長さが長い）の第４リブ２５ｄが形成されている。このため、本実施例のポンプ１は、該第４リブ２５ｄにより特に効果的にケーシング３の変形を抑制できる構成になっている。
【００４６】
ここで、「吐出口９の外周部分」とは、厳密な意味での吐出口９の外周部分のほか、吐出口９の強度を高く保つことができるのであれば、該吐出口９の外周部分から多少外れた位置も含む意味である。このため、本実施例のポンプ１のように厳密な意味での吐出口９の外周部分に第４リブ２５ｄが形成されている構成のほか、厳密な意味での吐出口９の外周部分から多少外れた位置に第４リブ２５ｄが形成されている構成も本発明に含まれる。
【００４７】
なお、第１リブ２５ａは、ケーシング３を成形する際の材料投入口及び前記材料投入口から導入された材料同士が交わる部分のうちの少なくともいずれかの位置に形成されていることが好ましい。一般的に、ケーシング３を成形する際の材料投入口（所謂ゲート）や、材料投入口から導入された材料同士が交わる部分（所謂ウェルドライン）は、変形しやすい傾向がある。しかしながら、第１リブ２５ａが、材料投入口及び該材料投入口から導入された材料同士が交わる部分のうちの少なくともいずれかの位置に形成されることで、変形しやすい部分を第１リブ２５ａで補強できる。このため、このような構成とすることで、効果的にケーシング３の変形を抑制できる。  
ここで、材料投入口から導入された材料同士が交わる部分は、例えば、複数の材料投入口同士の中点近傍部分などが該当する。
【００４８】
ここで、図７から図９で表されるように、本実施例のケーシング３には、給水口形成面３０の端部近傍に、前記ネジ１６を通す孔部３２と、所望の場所に本実施例のポンプ１を取り付けることができるように取り付け孔３１（ネジなどを通すことが可能な孔）と、を備えている。
【００４９】
そして、本実施例のケーシング３は、第１リブ２５ａが、材料投入口及び該材料投入口から導入された材料同士が交わる部分の両方の位置に形成されているが、ケーシング３とモータ部７との固定部を構成する孔部３２は、材料投入口から導入された材料同士が交わる部分（ウェルドライン）に位置している。すなわち、本実施例のケーシング３は、ケーシング３とモータ部７との固定部である孔部３２の形成位置に、材料同士が交わる部分が形成されている。したがって、本実施例のケーシング３においては、孔部３２の形成位置を第１リブ２５ａで補強している。
【００５０】
（隔壁部材４）  
次に、本実施例のポンプ１の隔壁部材４について説明する。  
本実施例の隔壁部材４は、上面部４ａと、不図示の円柱状の凹部４ｂと、を有している。図１から図３で表されるように、上面部４ａの水平方向（Ｘ方向及びＹ方向）の端部には、ケーシング３の肉厚部２６に対応して、水平方向（Ｘ方向及びＹ方向）に肉厚となる肉厚部２７が形成されている。本実施例のポンプ１は、水平方向（Ｘ方向及びＹ方向）に肉厚となるケーシング３の肉厚部２６と隔壁部材４の肉厚部２７とでシール部材１２を挟むので、リング状のシール部材１２を確りと挟むことができる。このため、本実施例のポンプ１は、単にポンプ１の変形を抑制しているだけでなく、シール部材１２がずれて流体が漏れ出すことも抑制している。
【００５１】
（補強板２）  
次に、本実施例のポンプ１の補強板２について説明する。  
上記のように、本実施例のポンプ１には、金属製の補強板２が設けられている。
【００５２】
詳細には、上記のように、本実施例のポンプ１は、上側（＋Ｚ方向側：給水口形成面３０のリブ形成方向側）に、金属製の補強板２が配置（リブ２５上に載置）されている。このため、本実施例のポンプ１は、該補強板２によりケーシング３の強度を高くしている。
【００５３】
また、図１で表されるように、本実施例の補強板２は、水平方向（Ｘ方向及びＹ方向）の端部が折り曲げられており、側面対向部２ａ（折り曲げ部）が形成されている。このため、本実施例のポンプ１は、該側面対向部２ａにより、補強板２の強度自体が高くなっている。つまり、例えば、補強板２が平板である場合に比べて、側面対向部２ａを備える補強板２は、Ｚ方向（厚み方向）による強度を確保することができるため、特にケーシング３および補強板２自身のＺ方向での変形を抑制することができる。また、側面対向部２ａは、ケーシング３の側面２８（詳細には、側面２８の平面部分である上側部２８ａ）に当接していてもよい。この場合、ポンプ１は、このような構成の側面対向部２ａを有する補強板２により、ケーシング３を側面２８側から補強できるとともに、補強板２とケーシング３との接触面積を増やし、ケーシング３を広い範囲で補強することで、ケーシング３の強度を特に高くしている。
【００５４】
なお、本実施例の補強板２においては、側面対向部２ａが吐出口９側以外の３ヶ所に形成されているが、側面対向部２ａの数やその形状に特に限定はない。また、本発明のポンプは、補強板２に側面対向部２ａが設けられていなくてもよく、さらには、補強板２が設けられていなくてもよい。
【００５５】
本発明は、上述の実施例に限られるものではなく、その趣旨を逸脱しない範囲において種々の構成で実現することができる。例えば、発明の概要の欄に記載した各形態中の技術的特徴に対応する実施例中の技術的特徴は、上述の課題の一部又は全部を解決するために、あるいは、上述の効果の一部又は全部を達成するために、適宜、差し替えや、組み合わせを行うことが可能である。  
また、その技術的特徴が本明細書中に必須なものとして説明されていなければ、適宜、削除することが可能である。
【符号の説明】
【００５６】
１…ポンプ、２…補強板、２ａ…側面対向部、３…ケーシング、４…隔壁部材、
４ａ…上面部、４ｂ…凹部、５…回転子、５ａ…羽根部、５ｂ…円筒形状部、
６…モータ部ケーシング、７…モータ部、８…給水口、８ａ…孔部、９…吐出口、
９ａ…孔部、９ｂ…吐出口９の根元部分（外周部分）、１２…シール部材、
１３…ロータ、１４…ステータ、１５…回路基板、１６…ネジ、１７…ナット、
１８…駆動用磁石、１９…スリーブ、２０…回転軸、２１…駆動用コイル、
２２…ステータコア、２３…インシュレータ、２４…端子ピン、２５…リブ、
２５ａ…第１リブ、２５ｂ…第２リブ、２５ｃ…第３リブ、２５ｄ…第４リブ、
２６…ケーシング３の肉厚部、２７…隔壁部材４の肉厚部、
２８…ケーシング３の側面、２８ａ…側面２８における上側部分、２９…ネジ孔、
３０…給水口形成面、３１…取り付け孔、３２…孔部（固定部）、３３…ポンプ室、
３４…立ち上がり部、３５…給水口８の根元部分
【図１】
2019157701.tif 000003
【図２】
2019157701.tif 000004
【図３】
2019157701.tif 000005
【図４】
2019157701.tif 000006
【図５】
2019157701.tif 000007
【図６】
2019157701.tif 000008
【図７】
2019157701.tif 000009
【図８】
2019157701.tif 000010
【図９】
2019157701.tif 000011